(57)【要約】【課題】オプション装置を追加した場合にも、安定した定着処理の確保が可能な画像形成装置及びその電力制御方法を提供する。【解決手段】オプション装置２１の装着が可能な画像形成装置１１であって、転写紙に転写された現像剤像を定着させる定着器１６と、定着器１６へ供給する電力の設定、並びにオプション装置２１の装着の有無を判断する制御回路１２とを備え、制御回路１２が、オプション装置２１の装着の有無を判断し、定着器１６へ供給する電力を、オプション装置２１が装着されていないと判断した時は第１の電力に設定し、オプション装置２１が装着されていると判断した時は、第１の電力より低い第２の電力に設定し、所定の転写紙のコピー停止時における定着器１６の温度を、オプション装置２１が装着されていないと判断した時は第１の温度に設定し、オプション装置２１が装着されていると判断した時は、第１の温度より高い第２の温度に設定する。【選択図】  図１
2005017737.tif 000002
【特許請求の範囲】
【請求項１】
オプション装置の装着が可能な画像形成装置において、
転写紙に転写された現像剤像を定着させる定着器と、
前記定着器へ供給する電力の設定、並びに前記オプション装置の装着の有無を判断する制御回路とを備え、
前記制御回路は、
前記オプション装置の装着の有無を判断し、
前記定着器へ供給する電力を、前記オプション装置が装着されていないと判断した時は第１の電力に設定し、前記オプション装置が装着されていると判断した時は、前記第１の電力より低い第２の電力に設定し、
所定の転写紙のコピー停止時における前記定着器の温度を、前記オプション装置が装着されていないと判断した時は第１の温度に設定し、前記オプション装置が装着されていると判断した時は、前記第１の温度より高い第２の温度に設定することを特徴とする画像形成装置。
【請求項２】
複数のオプション装置の装着が可能な画像形成装置において、
転写紙に転写された現像剤像を定着させる定着器と、
前記定着器へ供給する電力の設定、並びに前記オプション装置の装着の有無を判断する制御回路とを備え、
前記オプション装置には、その種類と数に応じた組み合わせとして第ｎ（ｎは、２以上の整数）のオプション装置があり、それぞれの消費電力が、第ｎ−１のオプション装置＜第ｎのオプション装置、の関係にあり、
前記制御回路は、
前記オプション装置の装着の有無を判断し、
前記オプション装置が装着されていると判断した場合、前記複数のオプション装置のいずれであるかを判断し、
前記定着器へ供給する電力を、前記オプション装置が装着されていないと判断した時は第１の電力に設定し、第ｎのオプション装置が装着されていると判断した時は、第ｎの電力より低い第ｎ＋１の電力に設定し、
所定の転写紙のコピー停止時における前記定着器の温度を、前記オプション装置が装着されていないと判断した時は第１の温度に設定し、第ｎのオプション装置が装着されていると判断した時は、第ｎの温度より低い第ｎ＋１の温度に設定することを特徴とする画像形成装置。
【請求項３】
オプション装置の装着が可能な画像形成装置の電力制御方法において、
前記画像形成装置は、転写紙に転写された現像剤像を定着させる定着器と、
前記定着器へ供給する電力の設定、並びに前記オプション装置の装着の有無を判断する制御回路とを備え、
前記制御回路により、前記オプション装置の装着の有無を判断し、
前記定着器へ供給する電力を、前記オプション装置が装着されていないと判断した時は第１の電力に設定し、前記オプション装置が装着されていると判断した時は、前記第１の電力より低い第２の電力に設定し、
所定の転写紙のコピー停止時における前記定着器の温度を、前記オプション装置が装着されていないと判断した時は第１の温度に設定し、前記オプション装置が装着されていると判断した時は、前記第１の温度より高い第２の温度に設定することを特徴とする画像形成装置の電力制御方法。
【請求項４】
複数のオプション装置の装着が可能な画像形成装置の電力制御方法において、
前記画像形成装置は、転写紙に転写された現像剤像を定着させる定着器と、
前記定着器へ供給する電力の設定、並びに前記オプション装置の装着の有無を判断する制御回路とを備え、
前記オプション装置には、その種類と数に応じた組み合わせとして第ｎ（ｎは、２以上の整数）のオプション装置があり、それぞれの消費電力が、第ｎ−１のオプション装置＜第ｎのオプション装置、の関係にあり、
前記制御回路により、前記オプション装置の装着の有無を判断し、
前記オプション装置が装着されていると判断した場合、前記複数のオプション装置のいずれであるかを判断し、
前記定着器へ供給する電力を、前記オプション装置が装着されていないと判断した時は第１の電力に設定し、第ｎのオプション装置が装着されていると判断した時は、第ｎの電力より低い第ｎ＋１の電力に設定し、
所定の転写紙のコピー停止時における前記定着器の温度を、前記オプション装置が装着されていないと判断した時は第１の温度に設定し、第ｎのオプション装置が装着されていると判断した時は、第ｎの温度より低い第ｎ＋１の温度に設定することを特徴とする画像形成装置の電力制御方法。
【発明の詳細な説明】
【０００１】
【発明の属する技術分野】
本発明は、画像形成装置及びその電力制御方法に関する。
【０００２】
【従来の技術】
画像形成装置は、画像形成装置本体に対し、フィニッシャ、ＬＣＦ（Ｌａｒｇｅ  Ｃｈａｐａｃｉｔｙ  Ｆｅａｄｅｒ）、インサータ等、様々なオプション装置を追加し、システムとして構成することができる。
【０００３】
ところが、画像形成装置にこのようなオプション装置が装着されると、その分、システム全体の消費電力が増加する。このため、場合によってはシステム全体の消費電力が規格電力を超える可能性がある。
【０００４】
しかし一方で、システム全体の消費電力が規格電力を超えないように、画像形成装置のなかでも消費電力の大きい定着器に供給する電力を下げると、安定した定着処理を確保することができないおそれがあった。
【０００５】
【発明が解決しようとする課題】
上述のように、従来の画像形成装置では、オプション装置を装着した場合に、システム全体の消費電力が規格電力を超えず、かつ安定した定着処理を行うことができないという問題があった。
【０００６】
本発明は上記事情に鑑み、オプション装置を追加した場合であっても、安定した定着処理の確保が可能な画像形成装置及びその電力制御方法を提供することを目的とする。
【０００７】
【課題を解決するための手段】
本発明による画像形成装置は、オプション装置の装着が可能であり、
転写紙に転写された現像剤像を定着させる定着器と、
前記定着器へ供給する電力の設定、並びに前記オプション装置の装着の有無を判断する制御回路とを備え、
前記制御回路は、
前記オプション装置の装着の有無を判断し、
前記定着器へ供給する電力を、前記オプション装置が装着されていないと判断した時は第１の電力に設定し、前記オプション装置が装着されていると判断した時は、前記第１の電力より低い第２の電力に設定し、
所定の転写紙のコピー停止時における前記定着器の温度を、前記オプション装置が装着されていないと判断した時は第１の温度に設定し、前記オプション装置が装着されていると判断した時は、前記第１の温度より高い第２の温度に設定する。
【０００８】
また本発明の画像形成装置は、複数のオプション装置の装着が可能であって、
転写紙に転写された現像剤像を定着させる定着器と、
前記定着器へ供給する電力の設定、並びに前記オプション装置の装着の有無を判断する制御回路とを備え、
前記オプション装置には、その種類と数に応じた組み合わせとして第ｎ（ｎは、２以上の整数）のオプション装置があり、それぞれの消費電力が、第ｎ−１のオプション装置＜第ｎのオプション装置、の関係にあり、
前記制御回路は、
前記オプション装置の装着の有無を判断し、
前記オプション装置が装着されていると判断した場合、前記複数のオプション装置のいずれであるかを判断し、
前記定着器へ供給する電力を、前記オプション装置が装着されていないと判断した時は第１の電力に設定し、第ｎのオプション装置が装着されていると判断した時は、第ｎの電力より低い第ｎ＋１の電力に設定し、
所定の転写紙のコピー停止時における前記定着器の温度を、前記オプション装置が装着されていないと判断した時は第１の温度に設定し、第ｎのオプション装置が装着されていると判断した時は、第ｎの温度より低い第ｎ＋１の温度に設定することを特徴とする。
【０００９】
本発明のオプション装置の装着が可能な画像形成装置の電力制御方法は、
前記画像形成装置が、転写紙に転写された現像剤像を定着させる定着器と、
前記定着器へ供給する電力の設定、並びに前記オプション装置の装着の有無を判断する制御回路とを備え、
前記制御回路により、前記オプション装置の装着の有無を判断し、
前記定着器へ供給する電力を、前記オプション装置が装着されていないと判断した時は第１の電力に設定し、前記オプション装置が装着されていると判断した時は、前記第１の電力より低い第２の電力に設定し、
所定の転写紙のコピー停止時における前記定着器の温度を、前記オプション装置が装着されていないと判断した時は第１の温度に設定し、前記オプション装置が装着されていると判断した時は、前記第１の温度より高い第２の温度に設定する。
【００１０】
あるいは、本発明の複数のオプション装置の装着が可能な画像形成装置の電力制御方法は、
前記画像形成装置が、転写紙に転写された現像剤像を定着させる定着器と、
前記定着器へ供給する電力の設定、並びに前記オプション装置の装着の有無を判断する制御回路とを備え、
前記オプション装置には、その種類と数に応じた組み合わせとして第ｎ（ｎは、２以上の整数）のオプション装置があり、それぞれの消費電力が、第ｎ−１のオプション装置＜第ｎのオプション装置、の関係にあり、
前記制御回路により、前記オプション装置の装着の有無を判断し、
前記オプション装置が装着されていると判断した場合、前記複数のオプション装置のいずれであるかを判断し、
前記定着器へ供給する電力を、前記オプション装置が装着されていないと判断した時は第１の電力に設定し、第ｎのオプション装置が装着されていると判断した時は、第ｎの電力より低い第ｎ＋１の電力に設定し、
所定の転写紙のコピー停止時における前記定着器の温度を、前記オプション装置が装着されていないと判断した時は第１の温度に設定し、第ｎのオプション装置が装着されていると判断した時は、第ｎの温度より低い第ｎ＋１の温度に設定することを特徴とする。
【００１１】
【発明の実施の形態】
以下、本発明の実施例による画像形成装置及びその電力制御方法について、図面を参照して説明する。
【００１２】
図１に、本発明の一実施例による画像形成装置の構成を示す。
【００１３】
画像形成装置１１が、スタンドアローンの状態において、制御回路１２と、定着器１６と、モータ１７とを備えている。さらに、画像形成装置１１は、図示されていない画像形成を行うために必要な要素として、スキャナ、感光体ドラム、感光体ドラムの周囲に配置された帯電装置、露光装置、現像器、転写装置等を備えている。
【００１４】
スキャナが原稿を読み取って画像信号を生成し、帯電装置が感光体ドラムの表面に帯電を行い、露光部が画像信号に従って感光体ドラムの表面上に露光して静電潜像を形成し、現像器がトナーを含む現像剤を供給して感光体ドラム上に現像剤像を形成し、転写装置が現像剤像を転写紙に転写する。
【００１５】
定着器１６は、転写紙に転写された現像剤像に加圧、加熱を行って定着させるものであり、ヒートローラＨＲと、このヒートローラＨＲに対向配置されたプレスローラＰＲ、ヒートローラＨＲ及び／又はプレスローラＰＲを回転させるモータ１７、さらにヒートローラＨＲを加熱するランプや誘導加熱手段等のヒータＨＴを有している。
【００１６】
制御回路１２は、このような、画像形成装置１１が備える各要素の動作を制御するもので、ＣＰＵ（Ｃｅｎｔｒａｌ  Ｐｒｏｃｅｓｓｉｎｇ  Ｕｎｉｔ）１３、ＲＯＭ（Ｒｅａｄ  Ｏｎｌｙ  Ｍｅｍｏｒｙ）１４、ＮＶＲＡＭ（Ｎｏｎ−Ｖｏｌａｔｉｌｅ  ＲＡＭ）１５を有している。
【００１７】
画像形成装置１１には、オプション装置２１を接続することができる。
【００１８】
オプション装置２１には、例えば、印刷が終了した転写紙を所望の枚数や順序に仕上げるフィニッシャ、特定の転写紙を大量に保管して画像形成装置１１に供給するＬＣＦ、転写紙の間に表紙等を挿入するインサータ等、各種存在し、また同じ種類のものが複数接続される場合もある。
【００１９】
オプション装置２１が画像形成装置１１に接続されると、ＣＰＵ１３がどの種類のオプション装置２１がどの数だけ接続されたかを認識する。
【００２０】
ところで、上述のように、画像形成装置１１に装着可能なオプション装置２１には様々な種類があり、組合せも多数存在する。そして、オプション装置２１には装着率が高いものも有れば低いものもあり、また消費電力もそれぞれに異なる。
【００２１】
従って、オプション装置２１を接続した後におけるシステム全体の消費電力も様々である。
【００２２】
従来のように、オプション装置２１を装着した後において、システム全体の電力を規格値以下に収めようとすると、装着されるオプション装置２１によって増加する電力分だけ、スタンドアローンの状態で最も消費電力が大きい定着器１６に供給する電力を下げることになる。
【００２３】
例えば、スタンドアローン時において、定着器１６に１０００Ｗの電力を供給し、いずれかのオプション装置２１を装着した時には、定着器１６への供給電力を９００Ｗに下げるという制御が考えられる。
【００２４】
しかしこのような電力制御を行うと、定着器１６に供給する電力が不足し、コピー中の温度降下が急になり、定着不良が発生したり、待機によるコピー停止等が発生しやすくなる。
【００２５】
そこで本実施例では、オプション装置２１を装着した場合にも、定着不良や待機によるコピー停止等を極力回避し、安定した定着処理を確保できるように、図２のフローチャートに示された手順で電力制御を行う。
【００２６】
先ず、画像形成装置１１に電源が投入される。
【００２７】
ステップＳ１０として、ＣＰＵ１３が、オプション装置２１が装着されているか否かを判断する。オプション装置２１が装着されていない場合はステップＳ１２へ、装着されている場合はステップＳ１４へ移行する。
【００２８】
ステップＳ１２において、スタンドアローン時の定着器１６への供給電力を、例えば１０００Ｗに設定し、ステップＳ１６へ移行する。
【００２９】
ステップＳ１４において、オプション装置２１装着時の定着器１６への供給電力を、例えば９００Ｗに設定し、ステップＳ１８へ移行する。
【００３０】
ステップＳ１６において、定着器１６における温度制御として、
普通紙のコピー動作を停止している時の定着温度を１６０℃、
厚紙のコピー動作を停止している時の定着温度を１７３℃、
レディ中の定着器１６のモータ１７を、７０℃でオン、１００℃でオフ、
余熱中の定着器１６の温度を、７０℃、
とする。
【００３１】
一方、ステップＳ１８において、定着器１６における温度制御として、
普通紙のコピー動作を停止している時の定着温度を１６３℃、
厚紙のコピー動作を停止している時の定着温度を１７７℃、
レディ中の定着器１６のモータ１７を、８５℃でオン、１１５℃でオフ、
余熱中の定着器１６の温度を、１５５℃、
さらにコピー速度を、１７０℃で６５ｃｐｍから５５ｃｐｍに変更、
とする。
【００３２】
ここで、オプション装置２１を装着して、定着器１６への供給電力を９００Ｗに設定変更した場合に、ステップＳ１８のように温度設定を変えるのは、以下のような理由による。
【００３３】
（１）オプション装置２１を装着すると、定着器１６へ供給される電力が低下する。このため、定着温度が急激に降下してしまい、定着できなくなる温度にまで下がる時間が速くなる。
【００３４】
即ち、スタンドアローン時には、定着器１６への供給電力が１０００Ｗと十分に高いため、定着可能な下限温度においてコピー動作を停止させるように制御して問題がない。しかし、９００Ｗまで電力を低下させると定着器１６において電力が不足するので、温度を検知してコピー動作を停止させるまでの間にさらに急激に温度が低下する。このため、その間にコピーされた紙には定着不良が発生する可能性がある。
【００３５】
この対策として、オプション装置２１装着時におけるコピー動作を停止させるときの定着温度（待機時における定着温度）を高い温度に変更し、定着率を確保する。（例えば、スタンドアローン時：１６０℃、オプション装置装着時：１６３℃）
【００３６】
（２）上記（１）は、普通紙のコピーに関する。しかし、厚紙ではさらに急激に定着温度が低下するため、普通紙よりもさらにコピー動作を停止させるときの定着温度をより高く変更する。（例えば、スタンドアローン時：１７３℃、オプション装置装着時：１７７℃）
【００３７】
（３）レディ中は、ＣＰＵ１３が、定着器１６の定着温度が低下しすぎないように温度制御を行っている。即ち、ヒートローラはその内部に設けられたヒータによって加熱されている。しかし、レディ中は、ヒートローラの回転が停止している。このため、ヒートローラと対向配置され、ヒータが設けられていないプレスローラは、ヒートローラとの接触面のみが加熱されることになる。
【００３８】
その状態でコピーが開始されてヒートローラ及びプレスローラが回転すると、プレスローラにおけるヒートローラと接触していない面によって、ヒートローラの熱が急激に奪われることになる。このため、上記（１）において述べた問題が発生しやくなったり、ヒートローラ及びプレスローラの表面に温度ムラが発生して定着不良を起こす可能性がある。
【００３９】
その対策として、レディ中においてプレスローラの温度（ヒートローラと接触していない面における温度）が低下した場合は、定着器１６のモータ１７を低速にて回転させている。
【００４０】
ここで、スタンドアローン時と比較し、オプション装置２１装着時は定着器１６への供給電力が不足しているため、上記（１）において述べた問題が発生しやすい。そこで、レディ中においてもなるべく定着器１６の温度、即ちヒートローラやプレスローラや定着器周辺の温度を暖めておくことで、上記（１）の現象を発生しにくくする必要がある。
【００４１】
その対策として、レディ中の定着器１６のモータ１７の低速回転を開始させる温度を、オプション装置２１装着時には上げることで、画像形成装置１１全体の温度を上げるように制御する。
【００４２】
例えば、スタンドアローン時には、７０℃でモータ１７の回転をオンさせ、１００℃でオフさせるのに対し、オプション装置２１装着時には、８５℃でオンさせ、１１５℃でオフさせる。
【００４３】
尚、モータ１７の回転は、低速に限らずその回転速度には限定されない。
【００４４】
（４）予熱中の定着器１６の温度も、上記（１）において述べた問題を発生させないようにするため、予熱中の定着温度を変更する。
【００４５】
例えば、スタンドアローン時における定着器１６の温度は７０℃を維持するように制御するのに対し、オプション装置２１装着時には、１５５℃を維持するように制御する。それぞれの余熱中の温度を超えると余熱が停止されて、この温度を維持するように制御される。
【００４６】
（５）オプション装置２１装着時には、上記（１）において述べた問題が発生しやすい。そこで、ある温度まで定着器１６の温度が低下すると、コピー速度を落として定着温度の低下を抑えるように制御する。
【００４７】
例えば、スタンドアローン時にはこのような制御を行わず、オプション装置２１装着時には、定着温度が１７０℃まで低下すると、それまでのコピー速度を６５ｃｐｍから５５ｃｐｍに変更する。
【００４８】
以上、スタンドアローン時とオプション装置２１装着時の２通りについて定着温度の設定の変更について述べたが、オプション装置２１の種類や数に合わせてより制御をきめ細かく行ってもよい。
【００４９】
即ち、オプション装置２１を装着させる際には、その種類にもフィニッシャ、ＬＣＦ、インサータ等があり、またそれぞれ装着させる数も異なり、様々な形態が考えられる。
【００５０】
そこで、１種類のオプション装置を１台装着させる場合、同一種類のオプション装置を２台装着させる場合、２種類のオプション装置を１台ずつ装着させる場合等、ｎ（ｎは２以上の整数）種類の形態に分類する（オプション装置（１）、オプション装置（２）、オプション装置（３）、…オプション装置（ｎ））。
【００５１】
ここで、電力の消費量は、スタンドアローン時＜オプション装置（１）装着時＜オプション装置（２）装着時＜オプション装置（３）装着時＜、…、＜オプション装置（ｎ）装着時、とする。
【００５２】
即ち、オプション装置（１）装着時、オプション装置（２）装着時、オプション装置（３）装着時、…となるに従って、定着器１６へ供給する電力が低下していき、定着不良が発生し易くなり、オプション装置（ｎ）装着時に最も電力が低く定着不良が発生し易い状態となる。
【００５３】
この場合における制御手順は、例えば図３に示されたようである。
【００５４】
ステップＳ１００において、オプション装置を装着しているか否かを判断し、オプション装置を装着していない場合はステップＳ２００へ移行する。
【００５５】
ステップＳ２００において、スタンドアローン時における定着器の設定電力をＸ（Ｗ）とする。
【００５６】
ステップＳ３００において、定着器の温度設定を、
普通紙のコピー動作を停止している時の定着温度をＡ℃、
厚紙のコピー動作を停止している時の定着温度をＢ℃、
レディ中の定着器１６のモータ１７のオン／オフ制御について、Ｃ℃でオン、Ｄ℃でオフするように制御、
余熱中の定着器１６の温度をＥ℃、
とする。
【００５７】
ステップＳ１００において、オプション装置を装着していると判断した場合は、ステップＳ１０１へ移行し、オプション装置（１）かどうかを判断する。オプション装置（１）である場合は、ステップＳ２０１へ移行する。
【００５８】
ステップＳ２０１において、オプション装置（１）装着時における定着器の設定電力を（Ｘ−ｘ１）Ｗとする。
【００５９】
ステップＳ３０１において、定着器の温度設定を、
普通紙のコピー動作を停止している時の定着温度を（Ａ＋ａ１）℃、
厚紙のコピー動作を停止している時の定着温度を（Ｂ＋ｂ１）℃、
レディ中の定着器１６のモータ１７のオン／オフ制御について、（Ｃ＋ｃ１）℃でオン、（Ｄ＋ｄ１）℃でオフするように制御、
余熱中の定着器１６の温度を、（Ｅ＋ｅ１）℃、
コピー速度を、Ｆ℃でＧｃｐｍから（Ｇ−ｇ１）ｃｐｍに変更、
とする。
【００６０】
ステップＳ１０１において、オプション装置（１）でない場合は、ステップＳ１０２へ移行し、オプション装置（２）かどうかを判断する。オプション装置（２）である場合は、ステップＳ２０２へ移行する。
【００６１】
ステップＳ２０２において、オプション装置（２）装着時における定着器の設定電力を（Ｘ−ｘ２）Ｗとする。
【００６２】
ステップＳ３０２において、定着器の温度設定を、
普通紙のコピー動作を停止している時の定着温度を（Ａ＋ａ２）℃、
厚紙のコピー動作を停止している時の定着温度を（Ｂ＋ｂ２）℃、
レディ中の定着器１６のモータ１７のオン／オフ制御について、（Ｃ＋ｃ２）℃でオン、（Ｄ＋ｄ２）℃でオフするように制御、
余熱中の定着器１６の温度を、（Ｅ＋ｅ２）℃、
コピー速度を、Ｆ℃でＧｃｐｍから（Ｇ−ｇ２）ｃｐｍに変更、
とする。
…          …
【００６３】
図示されていないステップＳ１０（ｎ−１）において、オプション装置（ｎ−１）であるかどうか判断し、オプション装置（ｎ−１）でない場合はステップＳ１０ｎへ移行し、オプション装置（ｎ）かどうかを判断する。オプション装置（ｎ）である場合は、ステップＳ２０ｎへ移行する。
【００６４】
ステップＳ２０ｎにおいて、オプション装置（ｎ）装着時における定着器の設定電力を（Ｘ−ｘｎ）Ｗとする。
【００６５】
ステップＳ３０ｎにおいて、定着器の温度設定を、
普通紙のコピー動作を停止している時の定着温度を（Ａ＋ａｎ）℃、
厚紙のコピー動作を停止している時の定着温度を（Ｂ＋ｂｎ）℃、
レディ中の定着器１６のモータ１７のオン／オフ制御について、（Ｃ＋ｃｎ）℃でオン、（Ｄ＋ｄｎ）℃でオフするように制御、
余熱中の定着器１６の温度を、（Ｅ＋ｅｎ）℃、
コピー速度を、Ｆ℃でＧｃｐｍから（Ｇ−ｇｎ）ｃｐｍに変更、
とする。
【００６６】
ここで、ａ１＜ａ２＜…＜ａｎ、
ｂ１＜ｂ２＜…＜ｂｎ、
ｃ１＜ｃ２＜…＜ｃｎ、
ｄ１＜ｄ２＜…＜ｄｎ、
ｅ１＜ｅ２＜…＜ｅｎ、
ｇ１＜ｇ２＜…＜ｇｎ、
とする。
【００６７】
上述した実施例は一例であって、本発明を限定するものではなく、本発明の技術的範囲を超えない範囲内で、様々に変形することが可能である。例えば、オプション装置の種類や数には限定されない。
【００６８】
【発明の効果】
以上説明したように、本発明の画像形成装置及びその電力制御方法は、オプション装置を追加した場合にも定着不良の発生を防止し、安定した定着処理の実現が可能である。
【図面の簡単な説明】
【図１】本発明の一実施例による画像形成装置の構成を示したブロック図。
【図２】同画像形成装置における電力制御方法の手順を示したフローチャート。
【図３】同画像形成装置における他の電力制御方法の手順を示したフローチャート。
【符号の説明】
１１  画像形成装置
１２  制御回路
１３  ＣＰＵ
１４  ＲＯＭ
１５  ＮＶＲＡＭ
１６  定着器
１７  モータ
２１  オプション装置
ＨＲ  ヒートローラ
ＰＲ  プレスローラ
【図１】
2005017737.tif 000003
【図２】
2005017737.tif 000004
【図３】
2005017737.tif 000005